(57)【特許請求の範囲】
【請求項１】
長手方向を具備し、給電点を有さずに所定の周波数で共振するアンテナと、
ＩＤに応じた幅を具備して一方向に延びた導電性パターンが、前記一方向に交差する方向に一定のピッチで複数並べられてなる導電性パターン群とを有し、
前記複数の導電性パターンがそれぞれ前記アンテナの短手方向を跨ぐように該アンテナと絶縁状態で前記アンテナ上に重ね合わされることで、前記ＩＤを識別可能とする識別体であって、
前記複数の導電性パターンは、該複数の導電性パターンのうち並び方向両端部となる２つの導電性パターンの互いの対向辺どうしの間隔が前記アンテナの長手方向の長さよりも広い、識別体。
【請求項２】
長手方向を具備するスリットを有し、給電点を有さずに所定の周波数で共振するアンテナと、
ＩＤに応じた幅を具備して一方向に延びた導電性パターンが、前記一方向に交差する方向に一定のピッチで複数並べられてなる導電性パターン群とを有し、
前記複数の導電性パターンがそれぞれ前記スリットの短手方向に前記アンテナを跨ぐように該アンテナと絶縁状態で前記アンテナ上に重ね合わされることで、前記ＩＤを識別可能とする識別体であって、
前記複数の導電性パターンは、該複数の導電性パターンのうち並び方向両端部となる２つの導電性パターンの互いの対向辺どうしの間隔が前記スリットの長手方向の長さよりも広い、識別体。
【請求項３】
長手方向を具備し、給電点を有さずに所定の周波数で共振するアンテナを用いてＩＤを生成するＩＤ生成方法であって、
ＩＤに応じた幅を具備して一方向に延びた導電性パターンが、前記一方向に交差する方向に一定のピッチで複数並べられてなり、当該複数の導電性パターンのうち並び方向両端部となる２つの導電性パターンの互いの対向辺どうしの間隔が前記アンテナの長手方向の長さよりも広い導電性パターン群を、前記複数の導電性パターンがそれぞれ前記アンテナの短手方向を跨ぐように絶縁層を介して前記アンテナ上に重ね合わせることで前記ＩＤを生成する、ＩＤ生成方法。
【請求項４】
長手方向を具備するスリットを有し、給電点を有さずに所定の周波数で共振するアンテナを用いてＩＤを生成するＩＤ生成方法であって、
ＩＤに応じた幅を具備して一方向に延びた導電性パターンが、前記一方向に交差する方向に一定のピッチで複数並べられてなり、当該複数の導電性パターンのうち並び方向両端部となる２つの導電性パターンの互いの対向辺どうしの間隔が前記スリットの長手方向の長さよりも広い導電性パターン群を、前記複数の導電性パターンがそれぞれ前記スリットの短手方向に前記アンテナを跨ぐように絶縁層を介して前記アンテナ上に重ね合わせることで前記ＩＤを生成する、ＩＤ生成方法。
【発明の詳細な説明】
【技術分野】
【０００１】
本発明は、所定の周波数で共振するアンテナを用いてＩＤを識別可能とする識別体及びＩＤ生成方法に関する。
【背景技術】
【０００２】
昨今、情報化社会の進展に伴って、商品等に貼付されるラベルやタグに情報を記録し、このラベルやタグを用いて商品等の管理が行われている。このようなラベルやタグを用いた情報管理においては、ラベルやタグに対して非接触状態にて情報の書き込みや読み出しを行うことが可能なＩＣチップが搭載された非接触型ＩＣラベルや非接触型ＩＣタグ等のＲＦＩＤ技術を利用した識別体がその優れた利便性から急速な普及が進みつつある。
【０００３】
このようなＲＦＩＤ技術を利用した識別体としては、上述したようにＩＣチップが搭載されたものに限らず、導電性パターンからなる共振回路を用いたものも実用化されている。このような共振回路を用いたものにおいては、共振回路の共振周波数を変化させることで、その識別体が添付された商品等を管理することができる。
【０００４】
例えば、コイルと複数のコンデンサとが直列に接続された構成において、複数のコンデンサのうち任意のコンデンサを破壊することで、複数の共振周波数で共振可能となる共振タグが特許文献１に開示されている。この技術を用いれば、複数のコンデンサのうち任意のコンデンサを破壊することで共振周波数を変化させ、変化する共振周波数毎にＩＤを対応づけることにより、複数のＩＤを識別可能とすることができるようになる。
【０００５】
また、いわゆる万引き防止タグに利用されるものとして、商品等の清算時に加熱により共振回路の機能を停止させ、それにより、共振回路の共振周波数を検知できるか否かによって、商品等が清算済であるかどうかを判断できるようにする共振回路タグが、特許文献２に開示されている。
【０００６】
ところが、複数のコンデンサのうち任意のコンデンサを破壊することで共振周波数を変化させ、変化する共振周波数毎にＩＤを対応づけることにより、複数のＩＤを識別可能とするものにおいては、識別可能とするＩＤの数がコンデンサの数に限定されるため、識別可能とするＩＤの数を増やす場合、コンデンサの数を増やすこととなって識別体の面積やコストが増大してしまうという問題点がある。
【０００７】
また、加熱により共振回路の機能を停止させることで共振回路の共振周波数を検知できなくするものにおいては、共振周波数が検知できるかできないかの２種類のＩＤしか識別可能とならないという問題点がある。
【０００８】
そこで、本願出願人は、長手方向を有するアンテナや、長手方向を具備するスリットを有するアンテナに、絶縁層を介して導電性パターンをアンテナやスリットと交差させて重ね合わせることで、アンテナの共振周波数を変化させて多くのＩＤを識別可能とする技術を考え出した。この技術においては、導電性パターンによってアンテナを覆う領域を変えた場合にアンテナの共振周波数が変化することを利用し、アンテナのうちＩＤに応じた領域を導電性パターンで覆うことで多くのＩＤが識別可能となる。
【先行技術文献】
【特許文献】
【０００９】
【特許文献１】特開２００２−２４５４２９号公報
【特許文献２】特許第３４８８５４７号公報
【発明の概要】
【発明が解決しようとする課題】
【００１０】
ところで、上述したようにアンテナのうちＩＤに応じた領域を導電性パターンで覆う場合、アンテナに対して導電性パターンの重ね合わせ位置がずれることが考えられる。ここで、識別可能となるＩＤは、アンテナのうち導電性パターンで覆われた領域に応じて決められるため、アンテナに対する導電性パターンの重ね合わせ位置がずれた場合、その重ね合わせ位置が再現されることなくずれていくこととなり、ＩＤを正確に識別することができなくなってしまう虞れがある。
【００１１】
そこで、本願出願人は、さらに鋭意研究を行い、アンテナに対して導電性パターンの重ね合わせ位置がずれた場合でも、正しい重ね合わせ位置を再現できる識別体を見出した。
【００１２】
本発明は、アンテナのうちＩＤに応じた領域を導電性パターンで覆うことで共振周波数を異ならせてＩＤを識別可能とする識別体において、アンテナに対する導電性パターンの重ね合わせ位置がずれた場合でも正しい重ね合わせ位置を再現できる識別体及びＩＤ生成方法を提供することを目的とする。
【課題を解決するための手段】
【００１３】
上記目的を達成するために本発明は、
長手方向を具備し、給電点を有さずに所定の周波数で共振するアンテナと、
ＩＤに応じた幅を具備して一方向に延びた導電性パターンが、前記一方向に交差する方向に一定のピッチで複数並べられてなる導電性パターン群とを有し、
前記複数の導電性パターンがそれぞれ前記アンテナの短手方向を跨ぐように該アンテナと絶縁状態で前記アンテナ上に重ね合わされることで、前記ＩＤを識別可能とする識別体であって、
前記複数の導電性パターンは、該複数の導電性パターンのうち並び方向両端部となる２つの導電性パターンの互いの対向辺どうしの間隔が前記アンテナの長手方向の長さよりも広い。
【００１４】
上記のように構成された本発明においては、長手方向を具備し、給電点を有さずに所定の周波数で共振するアンテナ上に、ＩＤに応じた幅を具備して一方向に延びた導電性パターンが、その一方向に交差する方向に一定のピッチで複数並べられてなる導電性パターン群が、複数の導電性パターンがそれぞれアンテナの短手方向を跨ぐようにアンテナと絶縁状態でアンテナ上に重ね合わされると、導電性パターンの幅に応じてアンテナの導電性パターンによって覆われた領域が変化し、それに応じてアンテナの共振周波数が変化する。そこで、その状態における共振周波数を検出すれば、ＩＤを識別することができるようになる。ここで、導電性パターンは、その導電性パターンが延びる方向に交差する方向に一定のピッチで複数並べられており、かつ、複数の導電性パターンのうち並び方向両端部となる２つの導電性パターンの互いの対向辺どうしの間隔が、アンテナの長手方向の長さよりも広いため、複数の導電性パターンのうち、少なくとも１つの導電性パターンがアンテナに重ね合わされると、少なくとも、複数の導電性パターンの並び方向両端部となる２つの導電性パターンの一方がアンテナに重ね合わされていない状態となる。そのため、アンテナに対する導電性パターンの重ね合わせ位置が、複数の導電性パターンの並び方向にずれた場合でも、そのずれ量が複数の導電性パターンのピッチ分になると、アンテナに重ね合わされていなかった導電性パターンがアンテナに重ね合わされることで、アンテナのうち導電性パターンが重ね合わされた領域が、重ね合わせ位置がずれていない状態と同じものとなる。このようにして、アンテナに対する導電性パターンの重ね合わせ位置がずれた場合でも正しい重ね合わせ位置が再現されることで、ＩＤが正確に識別可能となる。
【００１５】
また、長手方向を具備するスリットを有するアンテナを用いた場合は、複数の導電性パターンがそれぞれスリットの短手方向にアンテナを跨ぐように導電性パターン群がアンテナに重ね合わされることになるが、導電性パターンが、その導電性パターンが延びる方向に交差する方向に一定のピッチで複数並べられており、かつ、複数の導電性パターンのうち並び方向両端部となる２つの導電性パターンの互いの対向辺どうしの間隔が、スリットの長手方向の長さよりも広いことにより、アンテナに対する導電性パターンの重ね合わせ位置が、複数の導電性パターンの並び方向にずれた場合でも、上記同様に、そのずれ量が複数の導電性パターンのピッチ分になると、スリット上に重ね合わされていなかった導電性パターンがスリット上に重ね合わされることで、アンテナのうち導電性パターンが重ね合わされた領域が、重ね合わせ位置がずれていない状態と同じものとなり、アンテナに対する導電性パターンの重ね合わせ位置が再現され、ＩＤが正確に識別可能となる。
【発明の効果】
【００１６】
本発明によれば、長手方向を具備するアンテナに重ね合わされる導電性パターンが、その導電性パターンが延びる方向に交差する方向に一定のピッチで複数並べられており、かつ、複数の導電性パターンのうち並び方向両端部となる２つの導電性パターンの互いの対向辺どうしの間隔が、アンテナの長手方向の長さよりも広いため、アンテナに対する導電性パターンの重ね合わせ位置が、複数の導電性パターンの並び方向にずれた場合でも、そのずれ量が複数の導電性パターンのピッチ分になると、アンテナに重ね合わされていなかった導電性パターンがアンテナに重ね合わされることで、アンテナのうち導電性パターンが重ね合わされた領域が、重ね合わせ位置がずれていない状態と同じものとなり、アンテナに対する導電性パターンの正しい重ね合わせ位置を再現することができる。
【００１７】
また、長手方向を具備するスリットを有するアンテナを用いたものにおいては、スリットの短手方向にアンテナを跨ぐように重ね合わされる導電性パターンが、その導電性パターンが延びる方向に交差する方向に一定のピッチで複数並べられており、かつ、複数の導電性パターンのうち並び方向両端部となる２つの導電性パターンの互いの対向辺どうしの間隔が、スリットの長手方向の長さよりも広いため、アンテナに対する導電性パターンの重ね合わせ位置が、複数の導電性パターンの並び方向にずれた場合でも、上記同様に、そのずれ量が複数の導電性パターンのピッチ分になると、スリット上に重ね合わされていなかった導電性パターンがスリット上に重ね合わされることで、アンテナのうち導電性パターンが重ね合わされた領域が、重ね合わせ位置がずれていない状態と同じものとなり、アンテナに対する導電性パターンの正しい重ね合わせ位置を再現することができる。
【図面の簡単な説明】
【００１８】
【図１】本発明の識別体の実施の一形態における一例を示す図であり、（ａ）は表面図、（ｂ）は（ａ）に示したＡ−Ａ’断面図、（ｃ）は本体部のカバー部との積層面の構成を示す図である。
【図２】本発明の識別体の実施の一形態における他の例を示す図であり、（ａ）は表面図、（ｂ）は（ａ）に示したＡ−Ａ’断面図、（ｃ）は本体部のカバー部との積層面の構成を示す図である。
【図３】図１及び図２に示したＩＤタグのＩＤを判別するＩＤ判別システムの一例を示す図である。
【図４】図１及び図２に示したＩＤタグからの反射強度を示す図である。
【図５】図１に示したＩＤタグにおいてアンテナに対する線状パターンの重ね合わせ位置がずれた状態を説明するための図である。
【図６】図２に示したＩＤタグにおいてアンテナに対する線状パターンの重ね合わせ位置がずれた状態を説明するための図である。
【図７】図１及び図２に示したＩＤタグにおいてアンテナと線状パターンとの重ね合わせ位置が図５及び図６に示したようにずれた場合の反射強度を示す図である。
【図８】本発明の識別体の他の実施の形態を示す図であり、（ａ）は表面図、（ｂ）は（ａ）に示したＡ−Ａ’断面図、（ｃ）は本体部のカバー部との積層面の構成を示す図である。
【図９】本発明の識別体の他の実施の形態を示す図であり、（ａ）は表面図、（ｂ）は（ａ）に示したＡ−Ａ’断面図、（ｃ）は本体部のカバー部との積層面の構成を示す図である。
【図１０】本発明の識別体の他の実施の形態を示す図であり、（ａ）は表面図、（ｂ）は（ａ）に示したＡ−Ａ’断面図、（ｃ）は本体部のカバー部との積層面の構成を示す図である。
【図１１】本発明の識別体の他の実施の形態を示す図であり、（ａ）は表面図、（ｂ）は（ａ）に示したＡ−Ａ’断面図、（ｃ）は本体部のカバー部との積層面の構成を示す図である。
【図１２】図１及び図２に示したＩＤタグのＩＤを判別するＩＤ判別システムの他の例を示す図である。
【発明を実施するための形態】
【００１９】
以下に、本発明の実施の形態について図面を参照して説明する。
【００２０】
図１は、本発明の識別体の実施の一形態における一例を示す図であり、（ａ）は表面図、（ｂ）は（ａ）に示したＡ−Ａ’断面図、（ｃ）は本体部１０のカバー部２０との積層面の構成を示す図である。
【００２１】
本例の識別体は図１に示すように、本体部１０とカバー部２０とが重ね合わされてなるＩＤタグ１である。
【００２２】
本体部１０は、フィルムや紙等からなる長方形のベース基材１１の表面に、ベース基材１１の長手方向に延びた帯状形状のアンテナ１２が形成されて構成されている。これにより、アンテナ１２は、長手方向を具備する形状となっており、給電点を有さない構成であり、その形状に応じた周波数で共振する。
【００２３】
カバー部２０は、フィルムや紙等からなる長方形のベース基材２１の表面に、導電性パターンである１１個の線状パターン２２ａ〜２２ｋが形成されて構成されている。線状パターン２２ａ〜２２ｋは、互いに同一形状を有し、一定の幅を具備する線状形状であり、ベース基材２１の短手方向に延び、ベース基材２１の長手方向に一定のピッチでベース基材２１に形成されている。これにより、線状パターン２２ａ〜２２ｋは、線状パターン２２ａ〜２２ｋが延びる方向と交差する方向に一定のピッチで形成されている。これら線状パターン２２ａ〜２２ｋから導電性パターン群が構成される。
【００２４】
上記のように構成された本体部１０とカバー部２０とが、本体部１０のアンテナ１２が形成された面と、カバー部２０の線状パターン２２ａ〜２２ｋが形成されていない面とが対向するように重ね合わされることになる。その際、線状パターン２２ａ〜２２ｋのうち、両端部からそれぞれ２番目となる線状パターン２２ｂ，２２ｊの互いの対向辺どうしの間隔が、アンテナ１２の長手方向の長さよりも広いため、本体部１０とカバー部２０とがずれずに重ね合わされた場合に、線状パターン２２ａ〜２２ｋのうち、線状パターン２２ｃ〜２２ｉがアンテナ１２に重なり合い、線状パターン２２ａ，２２ｂ，２２ｊ，２２ｋがアンテナ１２と重なり合わない状態となる。そして、線状パターン２２ａ〜２２ｋの長さがアンテナ１２の短手方向の長さよりも長いことから、線状パターン２２ｃ〜２２ｉは、線状パターン２２ｃ〜２２ｉが延びる方向にてアンテナ１２を跨ぐようにベース基材２１を介してアンテナ１２上に重ね合わされることとなる。
【００２５】
上記のように構成されたＩＤタグ１は、アンテナ１２がその形状に応じた周波数で共振するものの、上述したように線状パターン２２ａ〜２２ｋがアンテナ１２に重ね合わされた状態においては、アンテナ１２の線状パターン２２ａ〜２２ｋによって覆われた領域に応じて共振周波数が変化する。そのため、線状パターン２２ａ〜２２ｋは、その幅及びその数がＩＤタグ１のＩＤに応じたものとなっている。
【００２６】
図２は、本発明の識別体の実施の一形態における他の例を示す図であり、（ａ）は表面図、（ｂ）は（ａ）に示したＡ−Ａ’断面図、（ｃ）は本体部１１０のカバー部１２０との積層面の構成を示す図である。
【００２７】
本例の識別体は図２に示すように、図１に示したＩＤタグ１と同様に、本体部１１０とカバー部１２０とが重ね合わされてなるＩＤタグ１０１である。
【００２８】
本体部１１０は、図１に示したＩＤタグ１の本体部１１０と同一の構成を有し、フィルムや紙等からなる長方形のベース基材１１１の表面に、ベース基材１１１の長手方向に延びた帯状形状のアンテナ１１２が形成されて構成されている。
【００２９】
カバー部１２０は、図１に示したＩＤタグ１のカバー部２０と同様に、フィルムや紙等からなる長方形のベース基材１２１の表面に導電性パターンである線状パターン１２２ａ〜１２２ｋが形成されて構成されているが、線状パターン１２２ａ〜１２２ｋの幅が図１に示したＩＤタグ１における線状パターン２２ａ〜２２ｋの幅よりも広くなっている。このように構成されたカバー部１２０においても、図１に示したＩＤタグ１と同様に、線状パターン１２２ａ〜１２２ｋは、ベース基材１２１の短手方向に延び、ベース基材１２１の長手方向に一定のピッチでベース基材１２１に形成されていることにより、線状パターン１２２ａ〜１２２ｋが延びる方向と交差する方向に一定のピッチで形成されている。そして、これら線状パターン１２２ａ〜１２２ｋから導電性パターン群が構成される。
【００３０】
上記のように構成された本体部１１０とカバー部１２０とが、本体部１１０のアンテナ１１２が形成された面と、カバー部１２０の線状パターン１２２ａ〜１２２ｋが形成されていない面とが対向するように重ね合わされることになる。その際、線状パターン１２２ａ〜１２２ｋのうち、両端部からそれぞれ２番目となる線状パターン１２２ｂ，１２２ｊの互いの対向辺どうしの間隔が、アンテナ１１２の長手方向の長さよりも広いため、本体部１１０とカバー部１２０とがずれずに重ね合わされた場合に、線状パターン１２２ａ〜１２２ｋのうち、線状パターン１２２ｃ〜１２２ｉがアンテナ１１２に重なり合い、線状パターン１２２ａ，１２２ｂ，１２２ｊ，１２２ｋがアンテナ１１２と重なり合わない状態となる。そして、線状パターン１２２ａ〜１２２ｋの長さがアンテナ１１２の短手方向の長さよりも長いことから、線状パターン１２２ｃ〜１２２ｉは、線状パターン１２２ｃ〜１２２ｉが延びる方向にてアンテナ１１２を跨ぐようにベース基材１２１によってアンテナ１１２と絶縁状態で重ね合わされることとなる。
【００３１】
上記のように構成されたＩＤタグ１０１は、アンテナ１１２がその形状に応じた周波数で共振するものの、上述したように線状パターン１２２ａ〜１２２ｋがアンテナ１１２に重ね合わされた状態においては、アンテナ１１２の線状パターン１２２ａ〜１２２ｋによって覆われた領域に応じて共振周波数が変化する。そのため、線状パターン１２２ａ〜１２２ｋは、その幅及びその数がＩＤタグ１０１のＩＤに応じたものとなっている。
【００３２】
以下に、上記のように構成されたＩＤタグ１，１０１を用いたＩＤ判別方法について説明する。
【００３３】
図３は、図１及び図２に示したＩＤタグ１，１０１のＩＤを判別するＩＤ判別システムの一例を示す図である。なお、図３においては、ＩＤタグ１０１の図示を省略しているが、ＩＤタグ１と同様に、読取器４０から放射された電磁波がＩＤタグ１０１にて反射することとなる。
【００３４】
本例におけるＩＤ判別システムは図３に示すように、図１に示したＩＤタグ１と、ＩＤタグ１のＩＤを判別する読取器４０とから構成され、読取器４０は、送受信アンテナ４１と、電磁波放射部４２と、反射強度検知部４３と、ＩＤ判別部４４とを有している。
【００３５】
電磁波放射部４２は、ＩＤタグ１，１０１のアンテナ１２，１１２の共振周波数を含む周波数帯をスイープしながら当該周波数帯の電磁波を送受信アンテナ４１を介して放射する。
【００３６】
反射強度検知部４３は、電磁波放射部４２から放射された電磁波に対して送受信アンテナ４１を介して受信された反射波における反射強度を検知する。
【００３７】
ＩＤ判別部４４は、反射強度検知部４３にて検知された反射強度によってＩＤタグ１，１０１におけるアンテナの共振周波数を検出し、この共振周波数の検出結果に基づいて、ＩＤタグ１，１０１に付与されたＩＤを判別する。
【００３８】
以下に、図３に示したＩＤ判別システムにおいて、図１及び図２に示したＩＤタグ１，１０１のＩＤを判別する方法について具体的に説明する。
【００３９】
図４は、図１及び図２に示したＩＤタグ１，１０１からの反射強度を示す図である。
【００４０】
図１に示したＩＤタグ１に対して、本体部１０とカバー部２０とが重ね合わされた状態において、電磁波放射部４２から、アンテナ１２の共振周波数を含む周波数の電磁波が送受信アンテナ４１を介して放射されると、図４中実線で示すように、反射強度検知部４３において、ｆ1にピーク値を有する反射強度が検知される。この反射強度がピークとなる周波数ｆ1は、アンテナ１２に線状パターン２２ｃ〜２２ｉが重ね合わされることでアンテナ１２の共振周波数が一定量だけシフトしたものである。
【００４１】
一方、図２に示したＩＤタグ１０１に対して、本体部１１０とカバー部１２０とが重ね合わされた状態において、電磁波放射部４２から、アンテナ１１２の共振周波数を含む周波数の電磁波が送受信アンテナ４１を介して放射されると、図４中破線で示すように、反射強度検知部４３において、ｆ2にピーク値を有する反射強度が検知される。この反射強度がピークとなる周波数ｆ2は、アンテナ１１２に線状パターン１２２ｃ〜１２２ｉが重ね合わされることでアンテナ１１２の共振周波数が一定量だけシフトしたものである。
【００４２】
ここで、図１に示したＩＤタグ１と図２に示したＩＤタグ１０１とは、アンテナ１２，１１２の形状が同一であることからアンテナ１２，１１２単体での共振周波数は同一であるものの、線状パターン２２ａ〜２２ｋ，１２２ａ〜１２２ｋの幅が互いに異なることで、アンテナ１２，１１２の線状パターン２２ｃ〜２２ｉ，１２２ｃ〜１２２ｉによって覆われる領域が互いに異なることとなり、それにより、図４に示すように、アンテナ１２，１１２の共振周波数が互いに異なるものとなる。
【００４３】
そこで、本体部１０，１１０に重ね合わされるカバー部２０，１２０の線状パターン２２ａ〜２２ｋ，１２２ａ〜１２２ｋの幅を変えることにより、ＩＤタグ１，１０１毎に異なるＩＤを生成し、ＩＤ判別部４４において、反射強度検知部４３にて検知された反射強度のピーク値に基づいて、ＩＤタグ１，１０１に付与されたＩＤを判別することができる。
【００４４】
ところで、本体部１０，１１０とカバー部２０，１２０とを重ね合わせる場合、アンテナ１２，１１２に対する線状パターン２２ａ〜２２ｋ，１２２ａ〜１２２ｋの重ね合わせ位置がずれることが考えられる。その際、ＩＤタグ１，１０１によって識別可能とするＩＤは、アンテナ１２，１１２のうち線状パターン２２ａ〜２２ｋ，１２２ａ〜１２２ｋで覆われた領域に応じて決められるため、そのずれ量によっては、反射強度検知部４３において検知される反射強度のピーク値が、ＩＤタグ１，１０１によって識別可能とするＩＤとは異なるＩＤに応じたものとなってしまう虞れがある。
【００４５】
以下に、図１及び図２に示したＩＤタグ１，１０１において、アンテナ１２，１１２に対する線状パターン２２ａ〜２２ｋ，１２２ａ〜１２２ｋの重ね合わせ位置がずれた場合の作用について説明する。
【００４６】
図５は、図１に示したＩＤタグ１においてアンテナ１２に対する線状パターン２２ａ〜２２ｋの重ね合わせ位置がずれた状態を説明するための図である。
【００４７】
図１に示したＩＤタグ１においてアンテナ１２に対する線状パターン２２ａ〜２２ｋの重ね合わせ位置がずれることなく本体部１０とカバー部２０とが重ね合わされると、図５（ａ）に示すように、線状パターン２２ａ〜２２ｋのうち、線状パターン２２ｃ〜２２ｉがアンテナ１２に重なり合い、線状パターン２２ａ，２２ｂ，２２ｊ，２２ｋがアンテナ１２と重なり合わない状態となる。
【００４８】
これに対して、本体部１０に対してカバー部２０が線状パターン２２ａ〜２２ｋの１／２ピッチ分だけ図５中右側にずれて重ね合わされると、図５（ｂ）に示すように、線状パターン２２ａ〜２２ｋのうち、線状パターン２２ｂ〜２２ｉがアンテナ１２に重なり合い、線状パターン２２ａ，２２ｊ，２２ｋがアンテナ１２と重なり合わない状態となる。この際、線状パターン２２ｂ〜２２ｉがアンテナ１２と重なり合う位置が、図５（ａ）に示した状態に対して線状パターン２２ａ〜２２ｋの１／２ピッチ分だけずれることとなる。
【００４９】
さらに図５（ｂ）に示した状態から、本体部１０に対してカバー部２０が線状パターン２２ａ〜２２ｋの１／２ピッチ分だけ図５中右側にずれて重ね合わされると、図５（ｃ）に示すように、線状パターン２２ａ〜２２ｋのうち、線状パターン２２ｂ〜２２ｈがアンテナ１２に重なり合い、線状パターン２２ａ，２２ｉ〜２２ｋがアンテナ１２と重なり合わない状態となる。この際、線状パターン２２ｂ〜２２ｈがアンテナ１２と重なり合う位置が、図５（ｂ）に示した状態に対して線状パターン２２ａ〜２２ｋの１／２ピッチ分だけずれることとなる。そのため、アンテナ１２に対する線状パターン２２ａ〜２２ｋの重ね合わせ位置がずれることなく本体部１０とカバー部２０とが重ね合わされた場合にアンテナ１２のうち線状パターンが重ね合わされた領域に、線状パターンが重ね合わされた状態となる。具体的には、アンテナ１２に対する線状パターン２２ａ〜２２ｋの重ね合わせ位置がずれることなく本体部１０とカバー部２０とが重ね合わされた場合、すなわち図５（ａ）に示した状態にてアンテナ１２の線状パターン２２ｃが重ね合わされた領域に、図５（ａ）に示した状態にてアンテナ１２に重ね合わされていなかった線状パターン２２ｂが重ね合わされ、また、図５（ａ）に示した状態にてアンテナ１２の線状パターン２２ｄが重ね合わされた領域に線状パターン２２ｃが重ね合わされ、また、図５（ａ）に示した状態にてアンテナ１２の線状パターン２２ｅが重ね合わされた領域に線状パターン２２ｄが重ね合わされ、また、図５（ａ）に示した状態にてアンテナ１２の線状パターン２２ｆが重ね合わされた領域に線状パターン２２ｅが重ね合わされ、また、図５（ａ）に示した状態にてアンテナ１２の線状パターン２２ｇが重ね合わされた領域に線状パターン２２ｆが重ね合わされ、また、図５（ａ）に示した状態にてアンテナ１２の線状パターン２２ｈが重ね合わされた領域に線状パターン２２ｇが重ね合わされ、また、図５（ａ）に示した状態にてアンテナ１２の線状パターン２２ｉが重ね合わされた領域に線状パターン２２ｈが重ね合わされた状態となる。
【００５０】
これは、線状パターン２２ａ〜２２ｋがアンテナ１２の長手方向に一定のピッチで並べられており、かつ、線状パターン２２ａ〜２２ｋのうち、両端部からそれぞれ２番目となる線状パターン２２ｂ，２２ｊの互いの対向辺どうしの間隔が、アンテナ１２の長手方向の長さよりも広いことで、アンテナ１２に対する線状パターン２２ａ〜２２ｋの重ね合わせ位置が、線状パターン２２ａ〜２２ｋの並び方向にずれた場合でも、そのずれ量が線状パターン２２ａ〜２２ｋのピッチ分になる度に、アンテナ１２上うち線状パターン２２ａ〜２２ｋが重ね合わされた領域が、重ね合わせ位置がずれていない状態と同じものとなり、アンテナ１２と線状パターン２２ａ〜２２ｋとの重ね合わせ位置が再現されるためである。すなわち、図１に示したＩＤタグ１においては、アンテナ１２に対する線状パターン２２ａ〜２２ｋの重ね合わせ位置が、線状パターン２２ａ〜２２ｋの並び方向にずれた場合でも、アンテナ１２上のうち線状パターン２２ａ〜２２ｋによって覆われる領域のずれ量は、最大でも線状パターン２２ａ〜２２ｋの１／２ピッチ分となる。
【００５１】
図６は、図２に示したＩＤタグ１０１においてアンテナ１１２に対する線状パターン１２２ａ〜１２２ｋの重ね合わせ位置がずれた状態を説明するための図である。
【００５２】
図２に示したＩＤタグ１０１においてアンテナ１１２に対する線状パターン１２２ａ〜１２２ｋの重ね合わせ位置がずれることなく本体部１１０とカバー部１２０とが重ね合わされると、図６（ａ）に示すように、線状パターン１２２ａ〜１２２ｋのうち、線状パターン１２２ｃ〜１２２ｉがアンテナ１１２に重なり合い、線状パターン１２２ａ，１２２ｂ，１２２ｊ，１２２ｋがアンテナ１１２と重なり合わない状態となる。
【００５３】
これに対して、本体部１１０に対してカバー部１２０が線状パターン１２２ａ〜１２２ｋの１／２ピッチ分だけ図６中右側にずれて重ね合わされると、図６（ｂ）に示すように、線状パターン１２２ａ〜１２２ｋのうち、線状パターン１２２ｂ〜１２２ｉがアンテナ１１２に重なり合い、線状パターン１２２ａ，１２２ｊ，１２２ｋがアンテナ１１２と重なり合わない状態となる。この際、線状パターン１２２ｂ〜１２２ｉがアンテナ１１２と重なり合う位置が、図６（ａ）に示した状態に対して線状パターン１２２ａ〜１２２ｋの１／２ピッチ分だけずれることとなる。
【００５４】
さらに図６（ｂ）に示した状態から、本体部１１０に対してカバー部１２０が線状パターン１２２ａ〜１２２ｋの１／２ピッチ分だけ図６中右側にずれて重ね合わされると、図６（ｃ）に示すように、線状パターン１２２ａ〜１２２ｋのうち、線状パターン１２２ｂ〜１２２ｈがアンテナ１１２に重なり合い、線状パターン１２２ａ，１２２ｉ〜１２２ｋがアンテナ１１２と重なり合わない状態となる。この際、線状パターン１２２ｂ〜１２２ｈがアンテナ１１２と重なり合う位置が、図６（ｂ）に示した状態に対して線状パターン１２２ａ〜１２２ｋの１／２ピッチ分だけずれることとなる。そのため、アンテナ１１２に対する線状パターン１２２ａ〜１２２ｋの重ね合わせ位置がずれることなく本体部１１０とカバー部１２０とが重ね合わされた場合にアンテナ１１２のうち線状パターンが重ね合わされた領域に、線状パターンが重ね合わされた状態となる。具体的には、アンテナ１１２に対する線状パターン１２２ａ〜１２２ｋの重ね合わせ位置がずれることなく本体部１１０とカバー部１２０とが重ね合わされた場合、すなわち図６（ａ）に示した状態にてアンテナ１１２の線状パターン１２２ｃが重ね合わされた領域に、図６（ａ）に示した状態にてアンテナ１１２に重ね合わされていなかった線状パターン１２２ｂが重ね合わされ、また、図６（ａ）に示した状態にてアンテナ１１２の線状パターン１２２ｄが重ね合わされた領域に線状パターン１２２ｃが重ね合わされ、また、図６（ａ）に示した状態にてアンテナ１１２の線状パターン１２２ｅが重ね合わされた領域に線状パターン１２２ｄが重ね合わされ、また、図６（ａ）に示した状態にてアンテナ１１２の線状パターン１２２ｆが重ね合わされた領域に線状パターン１２２ｅが重ね合わされ、また、図６（ａ）に示した状態にてアンテナ１１２の線状パターン１２２ｇが重ね合わされた領域に線状パターン１２２ｆが重ね合わされ、また、図６（ａ）に示した状態にてアンテナ１１２の線状パターン１２２ｈが重ね合わされた領域に線状パターン１２２ｇが重ね合わされ、また、図６（ａ）に示した状態にてアンテナ１１２の線状パターン１２２ｉが重ね合わされた領域に線状パターン１２２ｈが重ね合わされた状態となる。
【００５５】
これは、図１に示したＩＤタグ１と同様に、線状パターン１２２ａ〜１２２ｋがアンテナ１１２の長手方向に一定のピッチで並べられており、かつ、線状パターン１２２ａ〜１２２ｋのうち、両端部からそれぞれ２番目となる線状パターン１２２ｂ，１２２ｊの互いの対向辺どうしの間隔が、アンテナ１１２の長手方向の長さよりも広いことで、アンテナ１１２に対する線状パターン１２２ａ〜１２２ｋの重ね合わせ位置が、線状パターン１２２ａ〜１２２ｋの並び方向にずれた場合でも、そのずれ量が線状パターン１２２ａ〜１２２ｋのピッチ分になる度に、アンテナ１１２上うち線状パターン１２２ａ〜１２２ｋが重ね合わされた領域が、重ね合わせ位置がずれていない状態と同じものとなり、アンテナ１１２と線状パターン１２２ａ〜１２２ｋとの重ね合わせ位置が再現されるためである。すなわち、図６に示したＩＤタグ１０１においては、アンテナ１１２に対する線状パターン１２２ａ〜１２２ｋの重ね合わせ位置が、線状パターン１２２ａ〜１２２ｋの並び方向にずれた場合でも、アンテナ１１２上のうち線状パターン１２２ａ〜１２２ｋによって覆われる領域のずれ量は、最大でも線状パターン１２２ａ〜１２２ｋの１／２ピッチ分となる。
【００５６】
図７は、図１及び図２に示したＩＤタグ１，１０１においてアンテナ１２，１１２と線状パターン２２ａ〜２２ｋ，１２２ａ〜１２２ｋとの重ね合わせ位置が図５及び図６に示したようにずれた場合の反射強度を示す図である。
【００５７】
図１に示したＩＤタグ１に対して、アンテナ１２に対する線状パターン２２ａ〜２２ｋの重ね合わせ位置がずれることなく本体部１０とカバー部２０とが重ね合わされた状態において、アンテナ１２の共振周波数を含む周波数の電磁波が放射されると、図７中実線で示すように、ｆ1にピーク値を有する反射強度が検知される。
【００５８】
これに対して、本体部１０に対してカバー部２０が線線状パターン２２ａ〜２２ｋの並び方向に線状パターン２２ａ〜２２ｋの１／２ピッチ分だけずれて重ね合わされた状態において、アンテナ１２の共振周波数を含む周波数の電磁波が放射されると、図７中一点鎖線で示すように、アンテナ１２上の線状パターンで覆われる領域のずれによって共振周波数が低周波数側にシフトした場合にｆ1Lにピーク値を有する反射強度が検知され、また、共振周波数が高周波数側にシフトした場合にｆ1Hにピーク値を有する反射強度が検知される。
【００５９】
そして、アンテナ１２上のうち線状パターン２２ａ〜２２ｋによって覆われる領域の最大のずれ量が、上述したように線状パターン２２ａ〜２２ｋの１／２ピッチ分となることから、反射強度がピークとなる周波数ｆ1に対するずれ量は、最大でもｆ1L〜ｆ1Hの範囲|となる。そのため、図１に示したＩＤタグ１においては、アンテナ１２に対する線状パターン２２ａ〜２２ｋの重ね合わせ位置が、線状パターン２２ａ〜２２ｋの並び方向にずれた場合でも、検出される反射強度がピークとなる周波数は、ｆ1L〜ｆ1Hの範囲のものとなる。このように、アンテナ１２に対して線状パターン２２ａ〜２２ｋの重ね合わせ位置が線状パターン２２ａ〜２２ｋの並び方向にずれた場合でも共振周波数が大きく変化することがある。
【００６０】
一方、図２に示したＩＤタグ１に対して、アンテナ１１２に対する線状パターン１２２ａ〜１２２ｋの重ね合わせ位置がずれることなく本体部１１０とカバー部１２０とが重ね合わされた状態において、アンテナ１１２の共振周波数を含む周波数の電磁波が放射されると、図７中破線で示すように、ｆ2にピーク値を有する反射強度が検知される。
【００６１】
これに対して、本体部１１０に対してカバー部１２０が線線状パターン１２２ａ〜１２２ｋの並び方向に線状パターン１２２ａ〜１２２ｋの１／２ピッチ分だけずれて重ね合わされた状態において、アンテナ１１２の共振周波数を含む周波数の電磁波が放射されると、図７中二点鎖線で示すように、アンテナ１１２上の線状パターンで覆われる領域のずれによって共振周波数が低周波数側にシフトした場合にｆ2Lにピーク値を有する反射強度が検知され、また、共振周波数が低周波数側にシフトした場合にｆ2Hにピーク値を有する反射強度が検知される。
【００６２】
そして、アンテナ１１２上のうち線状パターン１２２ａ〜１２２ｋによって覆われる領域の最大のずれ量が、上述したように線状パターン１２２ａ〜１２２ｋの１／２ピッチ分となることから、反射強度がピークとなる周波数ｆ2に対するずれ量は、最大でもｆ2L〜ｆ2Hの範囲となる。そのため、図２に示したＩＤタグ１０１においては、アンテナ１１２に対する線状パターン１２２ａ〜１２２ｋの重ね合わせ位置が、線状パターン１２２ａ〜１２２ｋの並び方向にずれた場合でも、検出される反射強度がピークとなる周波数は、ｆ2L〜ｆ2Hの範囲のものとなる。このように、アンテナ１１２に対して線状パターン１２２ａ〜１２２ｋの重ね合わせ位置が線状パターン１２２ａ〜１２２ｋの並び方向にずれた場合でも共振周波数が大きく変化することがある。
【００６３】
そこで、図３に示したＩＤ判別部４４において、図１に示したＩＤタグ１については、アンテナ１２に対する線状パターン２２ａ〜２２ｋの重ね合わせ位置がずれることなく本体部１０とカバー部２０とが重ね合わされた状態において検出される反射強度がピークとなる周波数ｆ1に対してｆ1L〜ｆ1Hの範囲に固有のＩＤを対応づけておくことで、アンテナ１２に対する線状パターン２２ａ〜２２ｋの重ね合わせ位置が、線状パターン２２ａ〜２２ｋの並び方向にずれた場合でも、ＩＤタグ１のＩＤを正確に識別可能とすることができる。
【００６４】
また、ＩＤ判別部４４において、図２に示したＩＤタグ１０１については、アンテナ１１２に対する線状パターン１２２ａ〜１２２ｋの重ね合わせ位置がずれることなく本体部１１０とカバー部１２０とが重ね合わされた状態において検出される反射強度がピークとなる周波数ｆ2に対してｆ2L〜ｆ2Hの範囲に固有のＩＤを対応づけておくことで、アンテナ１１２に対する線状パターン１２２ａ〜１２２ｋの重ね合わせ位置が、線状パターン１２２ａ〜１２２ｋの並び方向にずれた場合でも、ＩＤタグ１０１のＩＤを正確に識別可能とすることができる。
【００６５】
そして、ＩＤとして識別するための周波数の差を、ピークとなる周波数の範囲よりも大きくすることにより、これらの反射強度がピークとなる周波数ｆ1L〜ｆ1Hの範囲とｆ2L〜ｆ2Hの範囲とを区別して識別可能としておくことで、ＩＤタグ１に付与されたＩＤとＩＤタグ１０１に付与されたＩＤとを識別することができる。
【００６６】
なお、図１及び図２に示したＩＤタグ１，１０１においては、アンテナ１２，１１２に重ね合わされる線状パターン２２ａ〜２２ｋ，１２２ａ〜１２２ｋの幅を互いに異ならせることで、識別可能となるＩＤを異ならせているが、線状パターンの数及びそれによるピッチを互いに異ならせることによっても、識別可能となるＩＤを異ならせてもよい。ただしその場合、線状パターンのピッチが互いに異なることで、上述したようなピーク値の許容範囲が互いに異なることとなる。
【００６７】
また、上述したＩＤタグ１，１０１においては、線状パターン２２ａ〜２２ｋ，１２２ａ〜１２２ｋのうち、両端部からそれぞれ２番目となる線状パターン２２ｂ，２２ｊ，１２２ｂ，１２２ｊの互いの対向辺どうしの間隔が、アンテナ１２，１１２の長手方向の長さよりも広くなっており、また、線状パターン２２ａ〜２２ｋ，１２２ａ〜１２２ｋが、線状パターン２２ａ〜２２ｋ，１２２ａ〜１２２ｋからなる導電性パターン群がアンテナ１２，１１２上に重ね合わされた場合にアンテナ１２，１１２に７つか８つの線状パターンが重なり合うピッチで配置されているが、本発明においては、線状パターン２２ａ〜２２ｋ，１２２ａ〜１２２ｋのうち、少なくとも、両端部となる線状パターン２２ａ，２２ｋ，１２２ａ，１２２ｋの互いの対向辺どうしの間隔がアンテナ１２，１１２の長手方向の長さよりも広ければ、上記同様の効果を得ることができる。
【００６８】
（他の実施の形態）
図８は、本発明の識別体の他の実施の形態を示す図であり、（ａ）は表面図、（ｂ）は（ａ）に示したＡ−Ａ’断面図、（ｃ）は本体部３１０のカバー部３２０との積層面の構成を示す図である。
【００６９】
本形態の識別体は図８に示すように、図１に示したものに対して、カバー部３２０においてベース基材３１１上に３つの線状パターン３２２ａ〜３２２ｃしか形成されていない点が異なるＩＤタグ３０１である。そして、線状パターン３２２ａ〜３２２ｃの並び方向両端部となる線状パターン３２２ａ，３２２ｃの互いの対向辺の間隔が、アンテナ３１２の長手方向の長さよりも広くなっている。
【００７０】
上記のように構成されたカバー部３２０が本体部３１０に重ね合わされると、線状パターン３２２ａ〜３２２ｃのうち、並び方向中央に位置する線状パターン３２２ｂのみがアンテナ３１２に重なり合い、並び方向両端部となる線状パターン３２２ａ，３２２ｃは、アンテナ３１２と重なり合わない状態となる。
【００７１】
この状態から、本体部３１０に対してカバー部３２０が図８中右側にずれていくと、線状パターン３２２ｂがアンテナ３１２に重なり合わず、かつ、線状パターン３２２ａがアンテナ３１２に重なり合うようになる。そして、本体部３１０に対してカバー部３２０が図８中右側に線状パターン３２２ａ〜３２２ｃの１ピッチ分ずれると、アンテナ３１２の線状パターン３２２ｂが重なり合っていた領域に線状パターン３２２ａが重なり合った状態となり、アンテナ３１２と線状パターン３２２ａ〜３２２ｃとの重ね合わせ位置が再現されることとなる。
【００７２】
図９は、本発明の識別体の他の実施の形態を示す図であり、（ａ）は表面図、（ｂ）は（ａ）に示したＡ−Ａ’断面図、（ｃ）は本体部４１０のカバー部４２０との積層面の構成を示す図である。
【００７３】
本形態の識別体は図９に示すように、図１に示したものに対して、カバー部４２０においてベース基材４１１上に３つの線状パターン４２２ａ〜４２２ｃしか形成されていない点が異なるＩＤタグ４０１である。そして、線状パターン４２２ａ〜４２２ｃの並び方向両端部となる線状パターン４２２ａ，４２２ｃの互いの対向辺の間隔が、アンテナ４１２の長手方向の長さよりも広くなっている。
【００７４】
上記のように構成されたカバー部４２０が本体部４１０に重ね合わされると、線状パターン４２２ａ〜４２２ｃのうち、線状パターン４２２ａのみがアンテナ４１２と重なり合わず、他の２つの線状パターン４２２ｂ，４２２ｃがアンテナ３１２に重なり合った状態となる。
【００７５】
この状態から、本体部４１０に対してカバー部４２０が図９中右側にずれていくと、線状パターン４２２ｃがアンテナ４１２に重なり合わず、かつ、線状パターン４２２ａがアンテナ４１２に重なり合うようになる。そして、本体部４１０に対してカバー部４２０が図９中右側に線状パターン４２２ａ〜４２２ｃの１ピッチ分ずれると、アンテナ４１２の線状パターン４２２ｃが重なり合っていた領域に線状パターン４２２ｂが重なり合うとともに、線状パターン４２２ｂが重なり合っていた領域に線状パターン４２２ａが重なり合った状態となり、アンテナ４１２と線状パターン４２２ａ〜４２２ｃとの重ね合わせ位置が再現されることとなる。
【００７６】
図１０は、本発明の識別体の他の実施の形態を示す図であり、（ａ）は表面図、（ｂ）は（ａ）に示したＡ−Ａ’断面図、（ｃ）は本体部５１０のカバー部５２０との積層面の構成を示す図である。
【００７７】
本形態の識別体は図１０に示すように、図１に示したものに対して、カバー部５２０においてベース基材５１１上に２つの線状パターン５２２ａ，５２２ｂしか形成されていない点が異なるＩＤタグ５０１である。そして、２つの線状パターン５２２ａ，５２２ｂの互いの対向辺の間隔が、アンテナ５１２の長手方向の長さよりも広くなっている。
【００７８】
上記のように構成されたカバー部５２０が本体部５１０に重ね合わされると、線状パターン５２２ａ，５２２ｂのうち、線状パターン５２２ｂのみがアンテナ５１２に重なり合い、線状パターン５２２ｂがアンテナ５１２と重なり合わない状態となる。
【００７９】
この状態から、本体部５１０に対してカバー部５２０が図１０中右側にずれていくと、線状パターン５２２ｂがアンテナ５１２に重なり合わず、かつ、線状パターン５２２ａがアンテナ５１２に重なり合うようになる。そして、本体部５１０に対してカバー部５２０が図１０中右側に線状パターン５２２ａ，５２２ｂの１ピッチ分ずれると、アンテナ５１２の線状パターン５２２ｂが重なり合っていた領域に線状パターン５２２ａが重なり合った状態となり、アンテナ５１２と線状パターン５２２ａ，５２２ｂとの重ね合わせ位置が再現されることとなる。
【００８０】
図１１は、本発明の識別体の他の実施の形態を示す図であり、（ａ）は表面図、（ｂ）は（ａ）に示したＡ−Ａ’断面図、（ｃ）は本体部２１０のカバー部２２０との積層面の構成を示す図である。
【００８１】
本形態の識別体は図１１に示すように、図１及び図２に示したものに対して、アンテナ２１２にスリット２１３が形成されている点が異なるＩＤタグ２０１である。
【００８２】
スリット２１３は、長方形のアンテナ２１２の長手方向の端部から形成され、直角に折れ曲がった後、アンテナ２１の短手方向に延びている。
【００８３】
線状パターン２２２ａ〜２２２ｈは、図１及び図２に示したものと同様に、線状パターン２２２ａ〜２２２ｈが延びる方向に交差する方向に一定のピッチで複数並べられているが、線状パターン２２２ａ〜２２２ｈのうち、両端部となる線状パターン２２２ａ，２２２ｈの互いの対向辺どうしの間隔が、アンテナ２１２ではなくスリット２１３の長手方向の長さよりも広くなっている。このように構成された線状パターン２２２ａ〜２２２ｈは、本体部２１０とカバー部２２０とが重ね合わされると、スリット２１３の短手方向にアンテナ２１２を跨ぐようにベース基材２２１によってアンテナ２１２と絶縁状態で重ね合わされた状態となる。
【００８４】
上記のように構成されたＩＤタグ２０１においては、アンテナ２１２のうちスリット２１３上において、線状パターン２２２ａ〜２２２ｈによって覆われる領域に応じて共振周波数が変化し、その共振周波数によってＩＤが識別可能となるが、線状パターン２２２ａ〜２２２ｈが、線状パターン２２２ａ〜２２２ｈが延びる方向に交差する方向に一定のピッチで並べられており、かつ、線状パターン２２２ａ〜２２２ｈのうち、両端部となる線状パターン２２２ａ，２２２ｈの互いの対向辺どうしの間隔が、スリット２１３の長手方向の長さよりも広くなっているため、アンテナ２１２に対する線状パターン２２２ａ〜２２２ｈの重ね合わせ位置が、線状パターン２２２ａ〜２２２ｈの並び方向にずれた場合でも、そのずれ量が線状パターン２２２ａ〜２２２ｈのピッチ分になると、アンテナ２１２上うち線状パターン２２２ａ〜２２２ｈが重ね合わされた領域が、重ね合わせ位置がずれていない状態と同じものとなり、アンテナ２１２と線状パターン２２２ａ〜２２２ｈとの重ね合わせ位置が再現されることとなり、ＩＤタグ２０１のＩＤを正確に識別可能とすることができる。
【００８５】
なお、上述した実施の形態においては、ベース基材上に導電性パターンとして複数の線状パターンが、線状パターンが延びる方向と交差する方向に一定のピッチで並んで配置されたＩＤタグを例に挙げて説明したが、上述した複数の線状パターンに複数の線状パターンが交差してなるメッシュ状のものや、複数の面状パターンがマトリックス状に互い違いに配置されたモザイク状のものであってもよい。モザイク状のものにおいては、互い違いに隣接する面状パターンどうしが接続されていることから、一方向に延びた導電性パターンがこの一方向に交差する方向に一定のピッチで複数並べられてなるものとみなすことができる。
【００８６】
また、上述した実施の形態においては、アンテナ上にベース基材を介して線状パターンを重ね合わせることで、線状パターンが、アンテナと絶縁状態で重ね合わされているが、例えば、線状パターンが形成された板状部材に、この板状部材よりも厚さが厚い枠部材を取り付け、線状パターンとアンテナとが互いに交差するようにこれらを重ね合わせた場合に、線状パターンとアンテナとが枠部材の厚さによって空気層を介して重なり合うことで、これら線状パターンがアンテナと絶縁状態で重ね合わされた構成としてもよい。
【００８７】
また、上述した実施の形態においては、アンテナまたはスリットの短手方向を跨ぐように一方向に延びた直線状の線状パターンが導電性パターンとしてアンテナ上に重ね合わされているが、線状パターンの形状は、全体的に一方向に延びるものであれば、湾曲していたり、波型やジグザグ型となっていたりしてもよい。
【００８８】
図１２は、図１及び図２に示したＩＤタグ１，１０１のＩＤを判別するＩＤ判別システムの他の例を示す図である。なお、図１２においては、ＩＤタグ１０１の図示を省略しているが、ＩＤタグ１と同様に、読取器１４０から放射された電磁波がＩＤタグ１０１にて反射することとなる。
【００８９】
本例におけるＩＤ判別システムは図１２に示すように、図１に示したＩＤタグ１と、ＩＤタグ１のＩＤを判別する読取器１４０とから構成され、読取器１４０は、送信アンテナ１４１ａと、受信アンテナ１４１ｂと、電磁波放射部１４２と、反射強度検知部１４３と、制御部１４４とを有している。
【００９０】
電磁波放射部１４２は、ＩＤタグ１，１０１のアンテナ１２，１１２の共振周波数を含む周波数帯をスイープしながら当該周波数帯の電磁波を送信アンテナ１４１ａを介して放射する。
【００９１】
反射強度検知部１４３は、電磁波放射部１４２から放射された電磁波に対して受信アンテナ１４１ｂを介して受信された反射波における反射強度を検知する。
【００９２】
制御部１４４は、電磁波放射部１４２から放射する電磁波の周波数帯を制御するとともに、反射強度検知部１４３にて検知された反射強度によってＩＤタグ１，１０１におけるアンテナの共振周波数を検出し、この共振周波数の検出結果に基づいて、ＩＤタグ１，１０１に付与されたＩＤを判別する。
【００９３】
上記のように構成されたＩＤ判別システムを用いても、上述した実施の形態にて示したＩＤタグのＩＤを判別することができる。
【符号の説明】
【００９４】
１，１０１，２０１，３０１，４０１，５０１    ＩＤタグ
１０，１１０，２１０，３１０，４１０，５１０    本体部
１１，２１，１１１，１２１，２１１，２２１，３１１，３２１，４１１，４２１，５１１，５２１    ベース基材
１２，１１２，２１２，２１２，４１２，５１２    アンテナ
２０，１２０，２２０，３２０，４２０，５２０    カバー部
２２ａ〜２２ｋ，１２２ａ〜１２２ｇ，２２２ａ〜２２２ｈ，３２２ａ〜３２２ｃ，４２２ａ〜４２２ｃ，５２２ａ，５２２ｂ    線状パターン
４０，１４０    読取器
４１    送受信アンテナ
４２，１４２    電磁波放射部
４３，１４３    反射強度検知部
４４    ＩＤ判別部
１４１ａ    送信アンテナ
１４１ｂ    受信アンテナ
１４４    制御部
２１３    スリット
【図１】
0006480302.tif 000002
【図２】
0006480302.tif 000003
【図３】
0006480302.tif 000004
【図４】
0006480302.tif 000005
【図５】
0006480302.tif 000006
【図６】
0006480302.tif 000007
【図７】
0006480302.tif 000008
【図８】
0006480302.tif 000009
【図９】
0006480302.tif 000010
【図１０】
0006480302.tif 000011
【図１１】
0006480302.tif 000012
【図１２】
0006480302.tif 000013